(57)【要約】      （修正有）【課題】箱の全表面を蓋板で覆うことができるので、安心して室外へ持ち出すことができると共に、コップ挿入孔があるので、飲み物も同時に持ち出し、かつ片手で持ち運びできる。【解決手段】蓋板９を下側にした箱材の展開図において、底板の右側に、折線２aを介して二重側板３aを連設し、底板の左側に折線２cを介して側板３cを連設し、該側板に折線を介してコップ保持板を連設し、該コップ保持板に折線を介して底板上を仕切る仕切り板１６を連設し、前記底板の下側に折線を介して側板を連設し、該側板に折線を介して、前記底板を覆う大きさ、形状の蓋板を連設し、該蓋板に前記コップ保持板のコップ挿入孔１７に重なる面にコップ挿入孔を設け、前記底板の上側に折線２dを介して二重側板３dを順次連設する。【選択図】図１
0003110304.tif 000002
【実用新案登録請求の範囲】
【請求項１】
蓋板を下側にした箱材の展開図において、底板の右側に、折線を介して二重側板を連設し、底板の左側に折線を介して側板を連設し、該側板に折線を介してコップ保持板を連設し、該コップ保持板に折線を介して底板上を仕切る仕切り板を連設し、前記底板の下側に折線を介して側板を連設し、該側板に折線を介して、前記底板を覆う大きさ、形状の蓋板を連設し、該蓋板に前記コップ保持板のコップ挿入孔に重なる面にコップ挿入孔を設け、前記底板の上側に折線を介して二重側板を順次連設したことを特徴とする組立用食物箱材。
【請求項２】
コップ挿入孔は、中心部に小孔を設け、外周部に円形折線を設け、前記小孔から前記円形折線までの間に放射状切込み線を設けたことを特徴とする請求項１記載の組立用食物箱材。
【請求項３】
底板の四辺に夫々立上り側板を設けると共に、前記側板の一つに、前記底板を覆う蓋板を連設し、前記底板内を仕切板で少なくとも二つの収容部を設け、一方の収容部上をコップ挿入孔を有する台板で覆うと共に、前記蓋板の、前記台板のコップ挿入孔と対応する位置へコップ挿入孔を設けたことを特徴とする組立食物箱。
【請求項４】
底板の四辺に夫々立上り側板を設けると共に、前記側板の一つに、前記底板を覆う蓋板を連設し、前記底板内を仕切板で少なくとも二つの収容部を設け、一方の収容部上をコップ挿入孔を有する台板で覆うと共に、前記蓋板の、前記台板のコップ挿入孔と対応する位置へコップ挿入孔を設け、前記蓋板に対向する側壁は二重壁とし、該二重壁の頂部へ前記蓋板の挿入片を挿入掛止する掛止孔を設けたことを特徴とする組立食物箱。
【考案の詳細な説明】
【技術分野】
【０００１】
この考案は、少なくとも飯収容部、総菜収容部及びコップ保持部を設けた蓋付の組立用食物箱材及び組立食物箱に関するものである。
【背景技術】
【０００２】
従来仕切板を有する組立菓子箱及び組立弁当箱が広く知られており、使用されている。また紙箱を仕切板により二区分し、その一方を蓋板で被覆し、基板にコップ保持孔を設けた紙トレーの提案がある。
【特許文献１】実用新案登録第３０２４０９９号
【考案の開示】
【考案が解決しようとする課題】
【０００３】
従来知られていた紙製トレーは、食物収容部と、コップ挿入孔を有するけれども、全体が露出しているので、食物を室外で運ぶことができない問題点があった。
【０００４】
また弁当箱は、蓋付きであるけれども、コップ挿入孔がないので、一方の手で弁当箱、他方の手でコップを持たなければならない問題点があった。
【課題を解決するための手段】
【０００５】
この考案は、組立箱材に、箱の蓋板と、その内側に設けた台板にコップ保持機能を持たせることにより、前記従来の問題点を解決したのである。
【０００６】
即ちこの考案は、蓋板を下側にした箱材の展開図において、底板の右側に、折線を介して二重側板を連設し、底板の左側に折線を介して側板を連設し、該側板に折線を介してコップ保持板を連設し、該コップ保持板に折線を介して底板上を仕切る仕切り板を連設し、前記底板の下側に折線を介して側板を連設し、該側板に折線を介して、前記底板を覆う大きさ、形状の蓋板を連設し、該蓋板に前記コップ保持板のコップ挿入孔に重なる面にコップ挿入孔を設け、前記底板の上側に折線を介して二重側板を順次連設したことを特徴とする組立用食物箱材であり、コップ挿入孔は、中心部に小孔を設け、外周部に円形折線を設け、前記小孔から前記円形折線までの間に放射状切込み線を設けたものである。
【０００７】
また他の考案は、底板の四辺に夫々立上り側板を設けると共に、前記側板の一つに、前記底板を覆う蓋板を連設し、前記底板内を仕切板で少なくとも二つの収容部を設け、一方の収容部上をコップ挿入孔を有する台板で覆うと共に、前記蓋板の、前記台板のコップ挿入孔と対応する位置へコップ挿入孔を設けたことを特徴とする組立食物箱であり、底板の四辺に夫々立上り側板を設けると共に、前記側板の一つに、前記底板を覆う蓋板を連設し、前記底板内を仕切板で少なくとも二つの収容部を設け、一方の収容部上をコップ挿入孔を有する台板で覆うと共に、前記蓋板の、前記台板のコップ挿入孔と対応する位置へコップ挿入孔を設け、前記蓋板に対向する側壁は二重壁とし、該二重壁の頂部へ前記蓋板の挿入片を挿入掛止する掛止孔を設けたことを特徴とする組立食物箱である。
【０００８】
前記考案において、仕切板を１つとし、飯の収容部及び総菜の収容部を設けたが、飯の収容部に仮仕切片を入れて、他物（例えば漬物など）を収容できるように二つ又は三つに分割することができる。
【０００９】
前記考案は、１枚の組立材（例えば紙板、ポリエチレン板など）で、１個の箱を組み立てる際の組立材及び組立箱に関するものであって、別製の箱又は紙片などを付設して更に区画を増加することを妨げない。
【００１０】
前記におけるコップ保持板のコップ挿入孔は円筒形（下が小径）を考慮し、中央に小孔を設け、その外側に円形折線を設けたが、円形折線はなくても、紙材の弾力によって、コップを保持できればよいことは当然である。
【００１１】
また放射状切込み線の数は、コップを保持するのに十分な弾力を得ればよく、例えば４本以上１０本位となり、等間隔が好ましい。切込み線は、切り放してなくても、コップを挿入する際に切れる程度の深さにすることもできる。
【００１２】
前記コップ保持板は、蓋板と、台板の両方に設けられているが、蓋板のみに設け、台板は単なる小孔（コップの下部の入る径）とすることもできる。
【００１３】
また小径のコップと、大径のコップの両方に使用できるように、紙材に適度の弾力を付与する（適度の弾力の材料を用いる）ことが好ましい。
【考案の効果】
【００１４】
この考案によれば、箱の全表面を蓋板で覆うことができるので、安心して室外へ持ち出すことができると共に、コップ挿入孔があるので、飲み物も同時に持ち出し、かつ片手で持ち運びできる効果がある。
【００１５】
また一枚の紙材により組立できるので、納品（箱材）時はきわめて小容積であり、使用時の組み立ては需要者の手で行うので、納品者の手間を要せず、全自動製造が容易になるなどの諸効果がある。
【考案を実施するための最良の形態】
【００１６】
この考案は、底板の四辺に、折線を介して側板を連設し、この側板に必要な物（側板、台板、蓋板など）を連設したので、一枚の紙板から、一度に成形できる効果がある。
【００１７】
また、前記箱材を折線に沿って折り曲げることにより、箱体を組み立てることができるので、組立が容易であり、かつ箱が丈夫（全部連結しているから）にできる効果がある。
【実施例１】
【００１８】
この考案の実施例を図１に基づいて説明すると、底板１の四辺へ折線２ａ、２ｂ、２ｃ、２ｄを介して側板３ａ、３ｂ、３ｃ、３ｄを連設し、前記側板３ａへ折線４ａを介して折返し板５を連設し、前記側板３ａの両側部に折線６ａ、６ｂを介して挿入片７、８を連設する。
【００１９】
前記側板３ｂに折線４ｂを介して蓋板９を連設し、蓋板９の一隅に、コップ１０の挿入孔１１を設けると共に、前記蓋板９の外縁へ挿入片９ａを連設すると、前記挿入孔１１には、中央部に小孔１１ａを設け、基部に折線１１ｂを設け、折線１１ｂから小孔１１ａに向かって放射状の切込み線１１ｃが複数（例えば８本）等分に設けてある。
【００２０】
前記側板３ｃには、折線４ｃを介してコップ保持板１２と、補強板１３を連設し、コップ保持板１２には、その二辺に折線１４ａ、１４ｂを介して補強板１５と、仕切板１６を連設し、コップの保持板１２の中央部にコップ１０の挿入孔１７を設ける。該挿入孔１７は、中央部に小孔１７ａを有し、周円部に折線１７ｂを設け、折線１７ｂから、小孔１７ａに向けて放射状の切込み線１７ｃが複数（例えば８本）等分に設けてある。
【００２１】
前記側板３ｄには折線１８ａ、１８ｂを小間隔で設けると共に、折線１８ｂへ折込片１９ａ、１９ｂを連設し、折込片１９ａ、１９ｂの外縁へ夫々突片２１ａ、２１ｂを設け、この考案の組立箱材２０を完成した。図中２２ａ、２２ａは突片２１ａ、２１ｂを挿入するための係止孔、２３は蓋板９の挿入片９ａを係止する係止孔である。
【００２２】
前記実施例は、飯と、総菜を収容し、かつコップを安定保持する為の最少部材について説明したが、これに仕切板、その他を付加して収容区を増加させることを妨げない。
【実施例２】
【００２３】
この考案の組立箱３０は、前記組立箱材２０を順次組み立てて完成する。図２、３において、矢示２４、２４のように、まず側板を直角に屈折し、ついで矢示２５、２５のように側板上の補強板を屈折し、更に矢示２６のように、コップ保持板１２を矢示２７のように底板１と平行に折り曲げると共に、仕切板１６をセットし、矢示２８のように蓋板９を被冠すれば、図４のような組立箱３０ができる。
【００２４】
前記実施例は、実施例１の組立箱材２０を順次組み立てたもので、箱材に付属片が加われば、組立手順に多少の変動がある。前記実施例によれば、区画Ａに飯を入れ、区画Ｂに総菜を入れることにより、弁当箱となり、これにコップを保持させれば、弁当箱兼用の片手持ち運びトレーとなる。
【００２５】
従ってドライブインその他簡易販売店などにおいて便利、かつ安全に使用することができる。
【図面の簡単な説明】
【００２６】
【図１】この考案の実施例の展開図。
【図２】同じく組立中間斜視図。
【図３】同じく組立完了の開蓋斜視図。
【図４】同じく完成し、コップをつけた斜視図。
【符号の説明】
【００２７】
１  底板
２ａ、２ｂ、２ｃ、２ｄ、４ａ、４ｂ、６ａ、６ｂ  折線
３ａ、３ｂ、３ｃ、３ｄ  側板
５  折返し板
７、８、１１、１２  挿入片
９  蓋板
１０  コップ
１５  補強板
１６  仕切板
１７  挿入孔
【図１】
0003110304.tif 000003
【図２】
0003110304.tif 000004
【図３】
0003110304.tif 000005
【図４】
0003110304.tif 000006